(57)【要約】【課題】安価なカメラを用いて簡便に孔壁観察を行うことができる孔壁観察システムを提供する。【解決手段】ボーリング孔の内壁を撮影する全天球カメラ１１を搭載した撮影台車１と、撮影データから孔壁展開図Ｈａｌｌを生成する孔壁展開図生成装置２とを具備し、孔壁展開図生成装置２は、画像取得部３１によって取得された所定時間毎の撮影データから、周方向全域を写した３６０度パノラマ画像を部分展開図Ｈ１〜ｎとして生成する部分展開図生成部３２と、部分展開図Ｈ１〜ｎから特徴点を抽出した特徴点モニタデータＤ１〜ｎを生成する特徴点抽出部３３と、撮影時間が前後する部分展開図Ｈ１〜ｎの特徴点モニタデータＤ１〜ｎをマッチングさせる特徴点マッチング部３４と、軸方向及び周方向の変換距離及び変換方向に基づいて、撮影時間が前後する部分展開図Ｈ１〜ｎを連結する部分展開図連結部３５とを備えている。【選択図】図２
2019184482.tif 000002
【特許請求の範囲】
【請求項１】
ボーリング孔の内壁を撮影するカメラを搭載した撮影台車と、
前記撮影台車によって撮影された撮影データから孔壁展開図を生成する孔壁展開図生成装置と、を具備し、
前記孔壁展開図生成装置は、
所定時間毎の前記撮影データを取得する画像取得部と、
前記画像取得部によって取得された前記撮影データから、前記ボーリング孔の軸方向が所定長で、周方向全域を写した３６０度パノラマ画像を部分展開図として生成する部分展開図生成部と、
部分展開図生成部によって生成された前記部分展開図から特徴点を抽出した特徴点モニタデータを生成する特徴点抽出部と、
撮影時間が前後する前記部分展開図の前記特徴点モニタデータをマッチングさせ、マッチング時の軸方向及び周方向の変換距離及び変換方向をそれぞれ算出する特徴点マッチング部と、
前記特徴点マッチング部によって算出された軸方向及び周方向の変換距離及び変換方向に基づいて、撮影時間が前後する前記部分展開図を連結して前記孔壁展開図を生成する部分展開図連結部と、を具備することを特徴とする孔壁観察システム。
【請求項２】
前記カメラによる撮影後に、前記孔壁展開図生成装置による前記孔壁展開図の生成動作を行う場合には、
前記特徴点マッチング部は、撮影時間が前後する前記部分展開図の前記特徴点モニタデータがマッチングしないと、後に撮影された方の前記部分展開図を削除し、さらに後に撮影された方の前記部分展開図を前に撮影された方の前記部分展開図とマッチングさせることを特徴とする請求項１記載の孔壁観察システム。
【請求項３】
警告を出力する警告出力部を具備し、
前記カメラによる撮影と、前記孔壁展開図生成装置による前記孔壁展開図の生成動作とを並行して行っている場合には、
前記特徴点マッチング部は、撮影時間が前後する前記部分展開図の前記特徴点モニタデータがマッチングしないと、前記警告出力部によって警告を出力することを特徴とする請求項１記載の孔壁観察システム。
【請求項４】
前記特徴点マッチング部は、撮影時間が前後する前記部分展開図の前記特徴点モニタデータがマッチングしないと、後に撮影された方の前記部分展開図を削除することを特徴とする請求項３記載の孔壁観察システム。
【請求項５】
前記カメラは、それぞれの光軸が合致するようにして、互いに逆向きに組み合わせられた２つの撮像光学系を備えた全天球カメラであり、
前記撮影台車は、前記撮像光学系の光軸が前記ボーリング孔の中心軸と直交し、２つの前記撮像光学系と前記ボーリング孔の内壁との光軸上のそれぞれの距離が同じになるように前記全天球カメラを前記ボーリング孔の中心軸上に支持するセントラライザを具備することを特徴とする請求項１乃至４のいずれかに記載の孔壁観察システム。
【請求項６】
前記部分展開図生成部は、前記全天球カメラの前記撮像光学系の光軸を通る前記ボーリング孔の周方向のラインが、前記ボーリング孔の軸方向の中央ラインとなる前記部分展開図を生成することを特徴とする請求項５記載の孔壁観察システム。
【請求項７】
ボーリング孔の内壁を撮影するカメラを搭載した撮影台車であって、
前記カメラとして、それぞれの光軸が合致するようにして、互いに逆向きに組み合わせられた２つの撮像光学系を備えた全天球カメラを搭載し、
前記撮像光学系の光軸が前記ボーリング孔の中心軸と直交し、２つの前記撮像光学系と前記ボーリング孔の内壁との光軸上のそれぞれの距離が同じになるように前記全天球カメラを前記ボーリング孔の中心軸上に支持するセントラライザを具備することを特徴とする撮影台車。
【発明の詳細な説明】
【技術分野】
【０００１】
本発明は、ボーリング孔内の孔壁観察を行う孔壁観察システムに関する。
【背景技術】
【０００２】
ノンコアボーリング（削孔検層）の実施後や、グランドアンカー孔の削孔後に、ボーリング孔内の孔壁観察を行うことで、地山の脆弱部の位置や原因（亀裂、風化、断層等）を特定することができる（例えば、特許文献１参照）。
【０００３】
従来、扎壁観察は、ボアホールテレビ（以下、ＢＨＴＶと称す）と呼ばれる撮影装置により行われている。ＢＨＴＶは、ボーリング削孔軸方向にカメラを置き、その先に円錐ミラーを設置することで孔壁面を撮影する。ボーリング孔内における撮影位置は、距離計によって測定されており、孔壁画像を撮影位置ごとに並べることで、一連の孔壁展開図を生成している。
【０００４】
孔壁展開図によって、地山の脆弱部の位置や原因を定量的（亀裂の幅や間隔、走向傾斜）に把握することができる。また、孔壁展開図を深度ごとに並べて孔内状況を網羅的に把握することができる。
【先行技術文献】
【特許文献】
【０００５】
【特許文献１】実用新案登録第３１１９０１２号公報
【発明の概要】
【発明が解決しようとする課題】
【０００６】
しかしながら、ＢＨＴＶは非常に高価であり、特に円錐ミラーの取り扱いには細心の注意が必要である。また、水平のボーリング孔の孔壁観察を行う場合は、孔壁が崩壊して撮影装置が抜けなくなるリスクが高く、そのリスクに応じた費用が発生してしまう。さらに、撮影しながら精密な距離計測を行う必要があるため、準備に費用と時間を要する。
【０００７】
本発明は、このような状況に鑑みてなされたものであり、上述の課題を解消し、安価なカメラを用いて簡便に孔壁観察を行うことができる孔壁観察システムを提供することにある。
【課題を解決するための手段】
【０００８】
本発明の孔壁観察システムは、ボーリング孔の内壁を撮影するカメラを搭載した撮影台車と、前記撮影台車によって撮影された撮影データから孔壁展開図を生成する孔壁展開図生成装置とを具備し、前記孔壁展開図生成装置は、所定時間毎の前記撮影データを取得する画像取得部と、前記画像取得部によって取得された前記撮影データから、前記ボーリング孔の軸方向が所定長で、周方向全域を写した３６０度パノラマ画像を部分展開図として生成する部分展開図生成部と、部分展開図生成部によって生成された前記部分展開図から特徴点を抽出した特徴点モニタデータを生成する特徴点抽出部と、撮影時間が前後する前記部分展開図の前記特徴点モニタデータをマッチングさせ、マッチング時の軸方向及び周方向の変換距離及び変換方向をそれぞれ算出する特徴点マッチング部と、前記特徴点マッチング部によって算出された軸方向及び周方向の変換距離及び変換方向に基づいて、撮影時間が前後する前記部分展開図を連結して前記孔壁展開図を生成する部分展開図連結部と、を具備することを特徴とする。
さらに、本発明の孔壁観察システムにおいて、前記カメラによる撮影後に、前記孔壁展開図生成装置による前記孔壁展開図の生成動作を行う場合には、前記特徴点マッチング部は、撮影時間が前後する前記部分展開図の前記特徴点モニタデータがマッチングしないと、後に撮影された方の前記部分展開図を削除し、さらに後に撮影された方の前記部分展開図を前に撮影された方の前記部分展開図とマッチングさせても良い。
さらに、本発明の孔壁観察システムにおいて、警告を出力する警告出力部を具備し、
前記カメラによる撮影と、前記孔壁展開図生成装置による孔壁展開図の生成動作とを並行して行っている場合には、前記特徴点マッチング部は、撮影時間が前後する前記部分展開図の前記特徴点モニタデータがマッチングしないと、前記警告出力部によって警告を出力しても良い。
さらに、本発明の孔壁観察システムにおいて、前記特徴点マッチング部は、撮影時間が前後する前記部分展開図の前記特徴点モニタデータがマッチングしないと、後に撮影された方の前記部分展開図を削除しても良い。
さらに、本発明の孔壁観察システムにおいて、前記カメラは、それぞれの光軸が合致するようにして、互いに逆向きに組み合わせられた２つの撮像光学系を備えた全天球カメラであり、前記撮影台車は、前記撮像光学系の光軸が前記ボーリング孔の中心軸と直交し、２つの前記撮像光学系と前記ボーリング孔の内壁との光軸上のそれぞれの距離が同じになるように前記全天球カメラを前記ボーリング孔の中心軸上に支持するセントラライザを具備しても良い。
さらに、本発明の孔壁観察システムにおいて、前記部分展開図生成部は、前記全天球カメラの前記撮像光学系の光軸を通る前記ボーリング孔の周方向のラインが、前記ボーリング孔の軸方向の中央ラインとなる部分展開図を生成しても良い。
また、本発明の撮影台車は、ボーリング孔の内壁を撮影するカメラを搭載した撮影台車であって、前記カメラとして、それぞれの光軸が合致するようにして、互いに逆向きに組み合わせられた２つの撮像光学系を備えた全天球カメラを搭載し、前記撮像光学系の光軸が前記ボーリング孔の中心軸と直交し、２つの前記撮像光学系と前記ボーリング孔の内壁との光軸上のそれぞれの距離が同じになるように前記全天球カメラを前記ボーリング孔の中心軸上に支持するセントラライザを具備することを特徴とする。
【発明の効果】
【０００９】
本発明によれば、撮影データから生成する部分展開図を精密な距離計測結果を用いることなく連結させることができ、安価なカメラを用いて簡便に孔壁観察を行うことができるという効果を奏する。
【図面の簡単な説明】
【００１０】
【図１】本発明に係る孔壁観察システムの実施の形態の構成を示す側断図である。
【図２】図１に示す孔壁展開図生成装置の構成を示すブロック図である。
【図３】図１に示す撮影台車を用いたボーリング孔の内壁の撮影手順を説明するための説明図である。
【図４】図２に示す部分展開図生成部及び特徴点抽出部の動作を説明するための説明図である。
【図５】図２に示す特徴点マッチング部及び部分展開図連結部の動作を説明するための説明図である。
【発明を実施するための形態】
【００１１】
次に、本発明を実施するための形態（以下、単に「実施形態」という）を、図面を参照して具体的に説明する。
本実施形態の観察システムは、図１を参照すると、ボーリング孔の内壁を撮影するカメラを搭載した撮影台車１と、撮影台車１によって撮影された撮影データから孔壁展開図を生成する孔壁展開図生成装置２とで構成されている。
【００１２】
撮影台車１は、ボーリング孔の内壁を撮影するカメラとして全天球カメラ１１を搭載していると共に、前方カメラ１２、照明１３及びセントラライザ１４を備えている。
【００１３】
全天球カメラ１１は、上下左右全方位を撮影可能な撮影装置である。本実施形態では、全天球カメラ１１として、１８０度より大きい全画角を有する広角レンズと、広角レンズによる像を撮像するＣＭＯＳ等の撮像センサとを有する同一構造の撮像光学系１５ａ、１５ｂを２つ組み合わせ、撮像光学系１５ａ、１５ｂは、それぞれの光軸が合致するようにして、互いに逆向きに組み合わせられている。なお、３以上の撮像光学系（例えば、画角９０度×４）を組み合わせた全天球カメラ１１や、異なる画角の撮像光学系（例えば、画角２７０度＋９０度）を組み合わせた全天球カメラ１１を採用しても良い。
【００１４】
前方カメラ１２は、前方を撮影する孔内状況監視用の通常のカメラであり、ＣＭＯＳイメージセンサを用いたＣＭＯＳカメラ等のデジタルカメラを用いることができる。
【００１５】
照明１３は、全天球カメラ１１及び前方カメラ１２が撮影する領域に光を照射する。
【００１６】
セントラライザ１４は、ボーリング孔の内壁に当接して軸方向に走行する車輪を先端に備えた複数のアームを有し、複数のアームをボーリング孔の内壁に向けて放射状に架け渡すことで、全天球カメラ１１をボーリング孔の中心軸上に支持する。全天球カメラ１１は、セントラライザ１４によって、撮像光学系１５ａ、１５ｂにおける広角レンズの光軸がボーリング孔の中心軸と直交し、撮像光学系１５ａ、１５ｂにおけるそれぞれの広角レンズとボーリング孔の内壁との光軸上のそれぞれの距離Ｒａ、Ｒｂが同じになるように支持される。
【００１７】
孔壁展開図生成装置２は、パーソナルコンピュータ等のプログラム制御で動作する情報処理装置であり、図２を参照すると、制御部３と、ハードディスクや半導体メモリ等の記憶手段で構成された記憶部４と、スピーカー等の音声出力装置や警告ランプ、液晶ディスプレイ等の表示装置で構成された警告出力部５と、液晶ディスプレイ等の表示装置やプリンタ等の印刷装置で構成された展開図出力部６とを備えている。
【００１８】
制御部３は、ＣＰＵ（Central Processing Unit）、ＲＯＭ（Read Only Memory）、ＲＡＭ（Random Access Memory）等を備えたマイクロコンピューター等の情報処理部である。ＲＯＭには孔壁展開図生成装置２の動作制御を行うための制御プログラムが記憶されている。制御部３は、ＲＯＭに記憶されている制御プログラムを読み出し、制御プログラムをＲＡＭに展開させることで、画像取得部３１と、部分展開図生成部３２と、特徴点抽出部３３と、特徴点マッチング部３４と、部分展開図連結部３５として機能する。
【００１９】
画像取得部３１は、全天球カメラ１１から所定時間毎の撮影データを取得する。画像取得部３１は、全天球カメラ１１によって所定時間毎に撮影された静止画を撮影データとして取得しても良く、全天球カメラ１１によって撮影された動画から指定したフレーム数毎に抽出した静止画を撮影データとして取得しても良い。
【００２０】
部分展開図生成部３２は、画像取得部３１によって取得される所定時間毎の撮影データから部分展開図Ｈ１〜ｎをそれぞれ生成して記憶部４に記憶させる。部分展開図生成部３２は、撮影データの歪みを補正し、ボーリング孔の軸方向が所定長Ｌ（例えば、Ｌ＝４ｃｍ）で、ボーリング孔の周方向全域を写した３６０度パノラマ画像を部分展開図Ｈ１〜ｎとしてそれぞれ生成する。部分展開図生成部３２が生成する部分展開図Ｈ１〜ｎは、図１に示すように、全天球カメラ１１の撮像光学系１５ａ、１５ｂにおける広角レンズの光軸を通るボーリング孔の周方向のラインが、ボーリング孔の軸方向の中央ラインＣとなる、中央ラインＣを中心として前後Ｌ／２の範囲である。なお、画像取得部３１によって取得される撮影データは、全天球カメラ１１の撮像光学系１５ａ、１５ｂでそれぞれ撮影された２枚の画像からなり、部分展開図生成部３２は、２枚の画像を結合して部分展開図Ｈ１〜ｎを生成する。
【００２１】
特徴点抽出部３３は、部分展開図生成部３２によって生成された部分展開図Ｈ１〜ｎから複数の「特徴点」をそれぞれ抽出し、抽出した「特徴点」の画像座標（ｘ、ｙ）を特徴点モニタデータＤ１〜ｎとしてそれぞれ生成して記憶部４に記憶させる。
【００２２】
特徴点抽出部３３は、ボーリング孔の内壁の亀裂、岩質の変化点等を「特徴点」として抽出する。従って、ボーリング孔の内壁は、亀裂、岩質の変化点といったテクスチャーが多いため、「特徴点」の抽出を容易に行うことができる。
【００２３】
これにより、部分展開図生成部３２によって所定時間毎の部分展開図Ｈ１〜ｎが生成されると共に、特徴点抽出部３３によって部分展開図Ｈ１〜ｎ毎の特徴点モニタデータＤ１〜ｎが生成される。
【００２４】
特徴点マッチング部３４は、特徴点のマッチング技術を用いて、撮影時間が前後する部分展開図Ｈ１〜ｎの特徴点モニタデータＤ１〜ｎをそれぞれマッチングさせ、マッチング時の軸方向及び周方向の変換距離及び変換方向をそれぞれ算出する。
【００２５】
部分展開図連結部３５は、特徴点マッチング部３４によって算出された軸方向及び周方向の変換距離及び変換方向に基づいて、撮影時間が前後する部分展開図Ｈ１〜ｎを連結してボーリング孔全長にわたる孔壁展開図Ｈａｌｌを生成する。
【００２６】
次に、撮影台車１を用いたボーリング孔の内壁の撮影手順について図３を参照して詳細に説明する。
まず、観察するボーリング孔の内壁に位置の基準となる目印Ｍを１か所以上設置する。目印Ｍの設置場所は、撮影台車１の全天球カメラ１１によって撮影可能な場所であればどこでも良く、例えば、入り口から１ｍ程度の設置しやすい場所を選ぶと良い。
【００２７】
次に、撮影台車１に引綱１６を付けた状態でボーリング孔に挿入して最奥部まで走行させる。引綱１６は、撮影台車１の全天球カメラ１１及び前方カメラ１２と孔壁展開図生成装置２との間の通信ケーブルと兼用しても良い。ボーリング孔が縦孔であったり、下向きの傾斜があったりした場合には、撮影台車１を自重で走行させることができる。ボーリング孔が横孔である場合には、棒によって押し込んだり、撮影台車１に自走機能を備えさせたりすると良い。
【００２８】
なお、撮影台車１をボーリング孔の最奥部まで走行させる際には、前方カメラ１２によって撮影した映像を孔壁展開図生成装置２の展開図出力部６にリアルタイムで表示させると良い。これにより、孔内状況を確認することができ、撮影台車１をボーリング孔の最奥部まで到達したか否かを判断することができる。
【００２９】
次に、引綱１６を引いて撮影台車１を手前に走行させながら、全天球カメラ１１によってボーリング孔の内壁を撮影する。撮影台車１を走行させるスピートは、一定である必要はない。
【００３０】
次に、孔壁展開図生成装置２による孔壁展開図の生成動作について図４及び図５を参照して詳細に説明する。
まず、画像取得部３１は、図４（ａ）に示すような所定時間毎の撮影データＰ１〜ｎを全天球カメラ１１から取得する。図４（ａ）には、画像取得部３１によって取得された撮影データＰ１〜４が示されている。
【００３１】
部分展開図生成部３２は、図４（ｂ）に示すように、画像取得部３１によって取得される所定時間毎の撮影データＰ１〜ｎから部分展開図Ｈ１〜ｎをそれぞれ生成して記憶部４に記憶させる。図４（ｂ）には、撮影データＰ１〜４から生成された部分展開図Ｈ１〜４が示されている。以下、部分展開図Ｈ１〜４を部分展開図連結部３５によって連結するまでの動作を説明する。
【００３２】
次に、特徴点抽出部３３は、図４（ｃ）に示すように、部分展開図Ｈ１〜４から複数の「特徴点」をそれぞれ抽出し、抽出した「特徴点」の画像座標（ｘ、ｙ）を特徴点モニタデータＤ１〜ｎとしてそれぞれ生成して記憶部４に記憶させる。図４（ｃ）において、白抜き＋印が「特徴点」を示している。
【００３３】
次に、特徴点マッチング部３４は、図５（ａ）に矢印Ａ１２、Ａ２３、Ａ３４で示すように、特徴点のマッチング技術を用いて、撮影時間が前後する部分展開図Ｈ１〜４の特徴点モニタデータＤ１〜４をそれぞれマッチングさせる。そして、特徴点マッチング部３４は、図５（ａ）に矢印Ｂ１２、Ｂ２３、Ｂ３４で示すように、マッチング時の軸方向及び周方向の変換距離及び変換方向を、撮影時間が前後する部分展開図Ｈ１〜４毎にそれぞれ算出する。なお、図５（ａ）では、２つのマッチングペアについて例示しているが、実際には数多くのマッチングペアを求め、特徴点マッチング部３４は、特徴点のマッチングペアの数が予め設定された閾値以上の場合に撮影時間が前後する部分展開図Ｈ１〜ｎがマッチングと判断する。
【００３４】
撮影時間が前後する部分展開図Ｈｍ−１、Ｈｍの特徴点モニタデータＤｍ−１、Ｄｍがマッチングしない場合には、撮影台車１の走行速度が速すぎて撮影時間が前後する部分展開図Ｈｍ−１と部分展開図Ｈｍとで重なりあう領域が小さい場合や、振動等によって距離Ｒａと距離Ｒｂとが異なってしまい、撮影時間が前後する部分展開図Ｈｍ−１と部分展開図Ｈｍとで撮影条件に変化が生じた場合が考えられる。従って、全天球カメラ１１による撮影と、孔壁展開図生成装置２による孔壁展開図の生成動作とを並行して行っている場合には、特徴点マッチング部３４は、撮影時間が前後する部分展開図Ｈｍ−１、Ｈｍの内、後で撮影された方の部分展開図Ｈｍを削除し、警告出力部５によって音や表示で警告を出力する。これにより、作業員は、撮影台車１を逆方向に戻して全天球カメラ１１による撮影をやり直すことができる。
【００３５】
また、全天球カメラ１１によってボーリング孔全長に亘って撮影した後に、孔壁展開図生成装置２による孔壁展開図Ｈａｌｌの生成動作を行うようにしても良い。この場合には、撮影台車１の走行速度に対して、画像取得部３１によって取得する撮影データの時間間隔を十分に短くし、撮影時間が前後する部分展開図Ｈｍ−１、Ｈｍの重なりを大きくする。そして、特徴点マッチング部３４は、部分展開図Ｈｍ−１、Ｈｍの特徴点モニタデータＤｍ−１、Ｄｍがマッチングしない場合、後で撮影された方の部分展開図Ｈｍを削除し、さらに後で撮影された方の部分展開図Ｈｍ+1を前に撮影された方の部分展開図Ｈｍ−１とマッチングさせる。これにより、不良データを削除してより正確な孔壁展開図Ｈａｌｌを生成することができる。なお、部分展開図Ｈｍ−１とマッチングしない部分展開図が部分展開図Ｈｍ以降も連続して予め設定された枚数になった場合には、特徴点マッチング部３４は、警告出力部５によって音や表示で警告を出力すると良い。
【００３６】
次に、部分展開図連結部３５は、特徴点マッチング部３４によって算出された軸方向及び周方向の変換距離及び変換方向に基づいて、図５（ｂ）に示すように、撮影時間が前後する部分展開図Ｈ１〜４を連結した孔壁展開図Ｈ１〜４を生成する。このようにして、撮影時間が前後する部分展開図Ｈ１〜ｎを連結してボーリング孔全長にわたる孔壁展開図Ｈａｌｌを生成する。そして、孔壁展開図Ｈａｌｌに位置の基準となる目印Ｍが含むことで、ボーリング孔全長にわたる位置を把握することができる。
【００３７】
撮影時間が前後する部分展開図Ｈ１〜４を連結する際には、全天球カメラ１１の光軸が通る周方向のライン（以下、中央ラインＣと称す）に近い方の画像を優先する。すなわち、孔壁展開図Ｈ１〜４では、歪が中央ラインＣに近い程、小さい。従って、中央ラインＣに近い方の画像を優先することで、より正確に孔壁を再現することができる。
【００３８】
以上説明したように、本実施形態は、ボーリング孔の内壁を撮影する全天球カメラ１１を搭載した撮影台車１と、撮影台車１によって撮影された撮影データから孔壁展開図Ｈａｌｌを生成する孔壁展開図生成装置２とを具備し、孔壁展開図生成装置２は、所定時間毎の撮影データを取得する画像取得部３１と、画像取得部３１によって取得された撮影データから、ボーリング孔の軸方向が所定長で、周方向全域を写した３６０度パノラマ画像を部分展開図Ｈ１〜ｎとして生成する部分展開図生成部３２と、部分展開図生成部３２によって生成された部分展開図Ｈ１〜ｎから特徴点を抽出した特徴点モニタデータＤ１〜ｎを生成する特徴点抽出部３３と、撮影時間が前後する部分展開図Ｈ１〜ｎの特徴点モニタデータＤ１〜ｎをマッチングさせ、マッチング時の軸方向及び周方向の変換距離及び変換方向をそれぞれ算出する特徴点マッチング部３４と、特徴点マッチング部３４によって算出された軸方向及び周方向の変換距離及び変換方向に基づいて、撮影時間が前後する部分展開図Ｈ１〜ｎを連結して孔壁展開図Ｈａｌｌを生成する部分展開図連結部３５とを備えている。
この構成により、撮影データから生成する部分展開図Ｈ１〜ｎを精密な距離計測結果を用いることなく連結させることができ、安価なカメラを用いて簡便に孔壁観察を行うことができる。
【００３９】
さらに、本実施形態において、全天球カメラ１１による撮影後に、孔壁展開図生成装置２による孔壁展開図Ｈａｌｌの生成動作を行う場合には、特徴点マッチング部３４は、撮影時間が前後する部分展開図Ｈｍ−１、Ｈｍの特徴点モニタデータＤ１〜ｎがマッチングしないと、後に撮影された方の部分展開図Ｈｍを削除し、さらに後に撮影された部分展開図Ｈｍ＋１を前に撮影された方の部分展開図Ｈｍ−１とマッチングさせる。
この構成により、不良データを削除してより正確な孔壁展開図Ｈａｌｌを生成することができる。
【００４０】
さらに、本実施形態において、警告を出力する警告出力部５を具備し、全天球カメラ１１による撮影と、孔壁展開図生成装置２による孔壁展開図Ｈａｌｌの生成動作とを並行して行っている場合には、特徴点マッチング部３４は、撮影時間が前後する部分展開図Ｈｍ−１、Ｈｍの特徴点モニタデータＤｍ−１、Ｄｍがマッチングしないと、警告出力部５によって警告を出力する。
この構成により、作業員は、撮影台車１を逆方向に戻して全天球カメラ１１による撮影をやり直すことができる。
【００４１】
さらに、本実施形態において、特徴点マッチング部３４は、撮影時間が前後する部分展開図Ｈｍ−１、Ｈｍの特徴点モニタデータＤｍ−１、Ｄｍがマッチングしないと、後に撮影された方の部分展開図Ｈｍを削除する。
この構成により、不良データを削除してより正確な孔壁展開図Ｈａｌｌを生成することができる。
【００４２】
さらに、本実施形態において、全天球カメラ１１は、それぞれの光軸が合致するようにして、互いに逆向きに組み合わせられた２つの撮像光学系１５ａ、１５ｂを備え、撮影台車１は、撮像光学系１５ａ、１５ｂの光軸がボーリング孔の中心軸と直交し、２つの撮像光学系１５ａ、１５ｂとボーリング孔の内壁との光軸上のそれぞれの距離Ｒａ、Ｒｂが同じになるように全天球カメラ１１をボーリング孔の中心軸上に支持するセントラライザ１４を備えている。
この構成により、歪の小さい部分展開図Ｈ１〜ｎをそれぞれ同じ条件で生成することができる。
【００４３】
さらに、本実施形態において、部分展開図生成部３２は、全天球カメラ１１の撮像光学系１５ａ、１５ｂの光軸を通るボーリング孔の周方向のラインが、ボーリング孔の軸方向の中央ラインＣとなる部分展開図Ｈ１〜ｎを生成する。
この構成により、歪の小さい部分展開図Ｈ１〜ｎを生成することができる。
【００４４】
以上、実施形態をもとに本発明を説明した。この実施形態は例示であり、それらの各構成要素の組み合わせ等にいろいろな変形例が可能なこと、またそうした変形例も本発明の範囲にあることは当業者に理解されるところである。
【符号の説明】
【００４５】
１  撮影台車
１１  全天球カメラ
１２  前方カメラ
１３  照明
１４  セントラライザ
１５ａ、１５ｂ  撮像光学系
１６  引綱
２  孔壁展開図生成装置
３  制御部
４  記憶部
５  警告出力部
６  展開図出力部
３１  画像取得部
３２  部分展開図生成部
３３  特徴点抽出部
３４  特徴点マッチング部
３５  部分展開図連結部
【図１】
2019184482.tif 000003
【図２】
2019184482.tif 000004
【図３】
2019184482.tif 000005
【図４】
2019184482.tif 000006
【図５】
2019184482.tif 000007